(57)【特許請求の範囲】
【請求項１】
容器本体の口部にシール蓋を貼着して密封したポーション容器を設け、
前記ポーション容器を収容可能な凹部空間を備えるポーションホルダーを設け、
前記凹部空間とその下方に配置した液体受容部とを連通する連通孔を、前記ポーションホルダーにおける前記凹部空間の底部に形成し、
前記容器本体の収容空間と前記液体受容部とを前記連通孔を介して連通させる連通操作機構を設けてある液体提供装置であって、
前記連通操作機構を構成するのに、
前記凹部空間に収容した前記ポーション容器を圧縮可能な加圧機構を設け、
前記加圧機構による前記ポーション容器の圧縮操作に基づいて、前記容器本体から前記シール蓋の一部が剥がれて収容物を漏出可能にする剥離誘導部を、前記ポーション容器に形成し、
前記ポーション容器を前記凹部空間に収容した状態で、前記剥離誘導部が前記底部側に位置して前記連通孔に臨む様に構成してある液体提供装置。
【請求項２】
前記液体受容部を液体を収容可能な主容器によって構成し、
前記ポーションホルダーを構成するのに、前記主容器に着脱自在な容器蓋を設けると共に、
前記容器蓋を、前記凹部空間を形成する蓋本体と、
前記凹部空間を閉じることができる着脱自在な閉止具とから構成し、
前記加圧機構を前記蓋本体と前記閉止具との間に形成してある請求項１に記載の液体提供装置。
【請求項３】
前記容器本体は液体を収容するものであり、前記凹部空間の底部を、前記連通孔側ほど前記液体受容部に近づく傾斜面に形成してある１又は２に記載の液体提供装置。
【請求項４】
前記容器本体を伸縮自在に形成してある請求項１〜３のいずれか１項に記載の液体提供装置。
【発明の詳細な説明】
【技術分野】
【０００１】
本発明は、容器本体の口部にシール蓋を貼着して密封したポーション容器を設け、
前記ポーション容器を収容可能な凹部空間を備えるポーションホルダーを設け、
前記凹部空間とその下方に配置した液体受容部とを連通する連通孔を、前記ポーションホルダーにおける前記凹部空間の底部に形成し、
前記容器本体の収容空間と前記液体受容部とを前記連通孔を介して連通させる連通操作機構を設けてある液体提供装置に関する。
【背景技術】
【０００２】
従来、前記液体提供装置は、前記ポーションホルダーの凹部空間に収容するポーション容器に穴を開けて前記容器本体の収容空間と前記液体受容部とを前記連通孔を介して連通させるスパイクを、ポーションホルダーに設けて、前記連通操作機構を構成してあるもの（例えば、特許文献１参照）や、ポーション容器の口部のシール蓋を破断させるカッターをポーションホルダーに設けて前記連通操作機構を構成してあるもの（例えば、特許文献２参照）があった。
【先行技術文献】
【特許文献】
【０００３】
【特許文献１】特表２００８−５２０２９８号公報
【特許文献２】特許４４８５８６９号公報
【発明の概要】
【発明が解決しようとする課題】
【０００４】
上述した従来の液体提供装置では、いずれもポーションホルダーにスパイクやカッターを設けて、それらが作動するための連通操作機構を構成するために複雑な構造になり、使用後の洗浄が困難で、且つ、スパイクやカッターにより手を傷つける虞があった。
【０００５】
従って、本発明の目的は、上記問題点を解消し、安全で、且つ、洗浄容易な液体提供装置を提供するところにある。
【課題を解決するための手段】
【０００６】
本発明の第１の特徴構成は、容器本体の口部にシール蓋を貼着して密封したポーション容器を設け、前記ポーション容器を収容可能な凹部空間を備えるポーションホルダーを設け、前記凹部空間とその下方に配置した液体受容部とを連通する連通孔を、前記ポーションホルダーにおける前記凹部空間の底部に形成し、前記容器本体の収容空間と前記液体受容部とを前記連通孔を介して連通させる連通操作機構を設けてある液体提供装置であって、前記連通操作機構を構成するのに、前記凹部空間に収容した前記ポーション容器を圧縮可能な加圧機構を設け、前記加圧機構による前記ポーション容器の圧縮操作に基づいて、前記容器本体から前記シール蓋の一部が剥がれて収容物を漏出可能にする剥離誘導部を、前記ポーション容器に形成し、前記ポーション容器を前記凹部空間に収容した状態で、前記剥離誘導部が前記底部側に位置して前記連通孔に臨む様に構成してあるところにある。
【０００７】
本発明の第１の特徴構成によれば、液体受容部に主たる飲料用の液体を収容した状態で、ポーション容器をポーションホルダーの凹部空間に収容し、加圧機構を操作すれば、ポーション容器は加圧され、その加圧による容器本体内の内圧の上昇に基づく剥離誘導部の作用で容器本体からシール蓋の一部が剥がれ、ポーション容器内の収容物が漏出して連通孔を介して液体受容部に導出される。
つまり、ポーションホルダーには加圧機構を設けると共に連通孔を形成し、ポーション容器には、剥離誘導部を形成するだけの簡単な構造で、従来例のように、スパイクやカッター及びそれらを操作する機構などを設けなくとも、ポーション容器内の収容物を液体受容部の受容液体に混入できる。
従って、液体提供装置を洗浄しやすい簡単でシンプルな構造に形成できる。
よって、衛生的に使用することが可能となる。
【０００８】
本発明の第２の特徴構成は、前記液体受容部を液体を収容可能な主容器によって構成し、前記ポーションホルダーを構成するのに、前記主容器に着脱自在な容器蓋を設けると共に、前記容器蓋を、前記凹部空間を形成する蓋本体と、前記凹部空間を閉じることができる着脱自在な閉止具とから構成し、前記加圧機構を前記蓋本体と前記閉止具との間に形成してあるところにある。
【０００９】
本発明の第２の特徴構成によれば、液体受容部を構成する主容器に着脱自在な容器蓋に、凹部空間を形成する蓋本体を、凹部空間を着脱自在に閉じる閉止具とを設けることでポーションホルダーを構成し、しかも、蓋本体と閉止具との間に加圧機構を構成することにより、密閉した空間内で主容器内に提供できる液体を準備でき、いたって衛生的な液体提供装置を構成できる。
【００１０】
本発明の第３の特徴構成は、前記容器本体は液体を収容するものであり、前記凹部空間の底部を、前記連通孔側ほど前記液体受容部に近づく傾斜面に形成してある
【００１１】
本発明の第３の特徴構成によれば、ポーション容器を凹部空間に挿入させれば、凹部空間の底部が傾斜面に形成されているので、ポーション容器の口部がその傾斜面に沿った姿勢で収容され、剥離誘導部の作用により容器本体内の収容物が漏出される際には、傾斜面に沿ってスムーズに連通孔にその収容物が導かれ、液体受容部の収容液体と効率よく混ざり合う。
【００１２】
本発明の第４の特徴構成は、前記容器本体を伸縮自在に形成してあるところにある。
【００１３】
本発明の第４の特徴構成によれば、容器本体を伸縮自在に形成することにより、加圧機構によるポーション容器の加圧操作に基づいてそのポーション容器の内圧を上げ易くなり、剥離誘導部の作用を容易に期待できるようになる。
【図面の簡単な説明】
【００１４】
【図１】（ａ）ポーション容器の平面図、（ｂ）ポーション容器の斜視図、（ｃ）ポーション容器の縦断側面図、（ｄ）ポーション容器の側面図である。
【図２】液体収容装置の一部縦断側面図で、（ａ）は、ポーション容器内の収容物の漏出前の状態図、（ｂ）は、ポーション容器内の収容物の漏出時の状態図ある。
【図３】（ａ）はポーション容器を収容した容器蓋の一部縦断面図、（ｂ）は、容器蓋の底面図である。
【図４】別実施形態の一部縦断側面図で、（ａ）は、連通操作機構の操作前の状態図、（ｂ）は、連通操作機構の操作時の状態図である。
【図５】ポーション容器の別実施形態を示し、（ａ）は斜視図、（ｂ）は側面図である。
【図６】ポーション容器の別実施形態を示し、（ａ）は平面図、（ｂ）は斜視図である。
【図７】ポーション容器の別実施形態を示し、（ａ）は平面図、（ｂ）は斜視図、（ｃ）は（ａ）における拡大ｃ−ｃ縦断面図である。
【発明を実施するための形態】
【００１５】
以下に本発明の実施の形態を図面に基づいて説明する。
図１〜図３に示すように、樹脂製の容器本体１の口部にアルミニウムラミネートフィルムなどの樹脂シートで成形されたシール蓋２を熱溶着などにより貼着して密封したポーション容器３を設け、液体受容部に、主飲料となる液体を収容可能な金属製の保温容器や樹脂製の断熱容器で形成された主容器４を設け、ポーションホルダーとして、主容器４の上端口部に形成した第１メネジ部５に着脱自在に螺合するに第１オネジ部６を設けた樹脂製の容器蓋７を設けると共に、容器蓋７を、ポーション容器３収容用の凹部空間８を形成する蓋本体９と、蓋本体９の第２メネジ部１０に螺合する第２オネジ部１１を設けて凹部空間８を閉じることができる着脱自在な閉止具１２とから構成し、凹部空間８の底部２０と主容器４の液体収容空間１３とを連通する連通孔１４を蓋本体９に形成し、容器本体１の収容空間１５と主容器４の液体収容空間１３とを連通孔１４を介して連通させて、容器本体１内の収容物を連通孔１４を介して主容器４内の空間に導入させる連通操作機構を設けて液体提供装置を構成してある。
【００１６】
前記連通操作機構を構成するのに、凹部空間８に収容したポーション容器３を圧縮可能な加圧機構を蓋本体９と閉止具１２との間に形成し、容器本体１に伸縮自在な蛇腹状の筒部１６を形成すると共に、加圧機構によるポーション容器３の圧縮操作に基づいて、容器本体１からシール蓋２の一部が剥がれて（図２（ａ）→（ｂ））収容物を漏出可能にする剥離誘導部１９を、ポーション容器３に形成してある。
【００１７】
つまり、凹部空間８の底部２０にポーション容器３の口部が位置するようにポーション容器３を逆さに挿入して収容することにより、口部は蓋本体９内で支持され、閉止具１２を蓋本体９に螺進させることにより、閉止具１２の先端がポーション容器３の底部１７を押圧するようにして加圧機構を構成してある。
また、ポーション容器３には、図１（ａ）〜（ｄ）に示すように、容器本体１の口部に内側に突出する先鋭突出部１８が形成され、加圧機構の操作に基づいて容器本体１が収縮しようとして、容器本体１内の内圧が上昇するとシール蓋２を外側へ押し開けようとする力が働き、先鋭突出部１８からシール蓋２の一部が剥がれるように剥離誘導部１９を形成してある。
【００１８】
前記ポーション容器３を、その口部が凹部空間８の底部２０に位置するように逆さに収容した状態で、剥離誘導部１９が連通孔１４に臨む様に形成してある（図２、図３）。
【００１９】
例えば、主容器４には加温された湯を収容し、ポーション容器３には、濃縮スープを収容して、必要時に加圧機構の操作によりポーション容器３内の濃縮スープを湯に混入させて温かいスープを飲料できるようにしたり、主容器４にコーヒーを収容すると共に、ポーション容器３には、ミルクや砂糖などを収容しておいて、必要時にコーヒーにミルクや砂糖を混入させて飲めるようにすることができる。
【００２０】
ポーション容器３は、蓋本体９に収容されているので、加圧操作によりポーション容器３内の内容物を主容器４内に混入させた後でも、蓋本体９にポーション容器３は保持される。これにより、開封後のポーション容器３は、主容器４の内部に手を直接入れなくても、蓋を取り外すことで簡単に取り外すことができる。
【００２１】
また、前記凹部空間８の底部２０を、連通孔１４側ほど主容器４の液体収容空間１３に近づく傾斜面に形成して、ポーション容器３の収容時にポーション容器３の口部が、傾斜面に沿うように、図１に示すように、ポーション容器３の口部の形状を傾斜面にして、その傾斜先端部に先鋭突出部１８を形成してある。
従って、ポーション容器３を逆さにして凹部空間８に収容した時に、剥離誘導部１９が連通孔１４に臨むようになる。
【００２２】
尚、図中の２１は、弾性のゴムリングから成るシールリングで、第１メネジ部５と第１オネジ部６との間のシールや、第２メネジ部１０と第２オネジ部１１との間のシールを行って、本発明の液体提供装置を持ち運んでも内容液が漏れないようにしてある。
【００２３】
〔別実施形態〕
以下に他の実施の形態を説明する。
【００２４】
〈１〉  前記ポーション容器３には、液体以外に砂糖や調味料などの粉粒体を収容するようにしてあっても良い。
〈２〉  前記蓋本体９に対して閉止具１２は、図４に示すように、ピストン式に摺動自在に内嵌するように構成して、閉止具１２の下部先端に容器本体１の押圧部２２を形成し、閉止具１２の押し込み操作に基づいて、ポーション容器３を加圧する（図４（ａ）→（ｂ））加圧機構を構成してあっても良い。
〈３〉  ポーション容器３は、図５（ａ）、（ｂ）に示すように、先鋭突出部１８を設けたその鍔部２３の一部を径方向外方に延設して補強してあっても良い。
〈４〉  ポーション容器３は、図６（ａ）、（ｂ）に示すように、先鋭突出部を設けずに、剥離誘導部１９が、ポーション容器３が加圧されるとシール蓋２の一部が開封する構造であれば良い。例えば、シールが強い強接着部２３Ａと弱い弱接着部２３Ｂとを設けて、ポーション容器３が加圧されるとシールの弱い弱接着部２３Ｂから開封する構造や、図７（ａ）、（ｂ）、（ｃ）に示すように、レーザー等の照射によりシール蓋２の外側面に切り込み線２８を設けて、シールの脆弱部を設けておき、加圧によりその脆弱部から開封するような構造でも良い。尚、シール蓋２は、一般的には外側からポリエステル樹脂（ＰＥＴ）層２４と印刷層２５、アルミニウム箔層２６、ポリエチレン（ＰＥ）またはポリプロピレン（ＰＰ）層２７からなる複数層のラミネートフィルムからなっている。
〈５〉  前記凹部空間８にポーション容器３を収容するのに、逆さ姿勢で収容する以外に、口部が横向き又は斜め下向きになるような姿勢で、剥離誘導部１９が底部２０側に位置するように配置して連通孔１４に臨む様に構成してあっても良い。なお、この場合、加圧機構は、ポーション容器３に対して横方向から圧縮可能に形成しなければならない。
【００２５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２６】
１      容器本体
２      シール蓋
３      ポーション容器
４      主容器
７      容器蓋
８      凹部空間
９      蓋本体
１２    閉止具
１４    連通孔
１９    剥離誘導部
２０    底部
【図１】
0005564737.tif 000002
【図２】
0005564737.tif 000003
【図３】
0005564737.tif 000004
【図４】
0005564737.tif 000005
【図５】
0005564737.tif 000006
【図６】
0005564737.tif 000007
【図７】
0005564737.tif 000008